(57)【特許請求の範囲】
【請求項１】
空気調和対象の室内空間に面する開口部を有して前記室内空間の天井に配設され、供給される調和空気を前記開口部から室内空間に吹出す吹出口装置を複数備える空気調和システムにおいて、
略箱状体として天井に一又は複数配設され、前記各吹出口装置にそれぞれダクトを介して接続され、各吹出口装置へ向かう調和空気の風量を調整する風量調整部と、
少なくとも前記室内空間の温度の状態に基づいて、前記風量調整部に調和空気の風量の調整を行わせる風量制御部とを備え、
前記吹出口装置が、
内側が空気通路となる略筒状部を有して、向き調整可能に配設され、前記空気通路に調和空気を流入させ、調和空気を空気通路延長方向に案内して吹出す一又は複数の局所吹出部と、
一又は複数所定配置で並べた略板状の案内体を有して、前記局所吹出部の側方にそれぞれ配設され、各案内体に沿って調和空気を進行させて、調和空気を空気調和対象空間に拡散状態で吹出す複数の拡散吹出部と、
調和空気を局所吹出部に向かわせて調和空気が主に局所吹出部を通じて吹出す状態と、調和空気を拡散吹出部に向かわせて調和空気が主に拡散吹出部を通じて吹出す状態とを切替える切替機構部と、
当該切替機構部における調和空気の吹出す状態の切替を制御する制御部とを有し、
所定の吹出口装置の制御部が、切替機構部に調和空気の吹出し状態切替を行わせると、切替に係る情報を前記風量制御部に送り、
前記風量制御部が、制御部からの情報を受けると、風量調整部に、前記所定の吹出口装置に向かう調和空気について、切替後の吹出し状態に対応する風量調整を行わせることを
特徴とする空気調和システム。
【請求項２】
前記請求項１に記載の空気調和システムにおいて、
前記風量制御部が、調和空気を主に局所吹出部を通じて吹出す状態となるよう切替機構部で切替を行ったことを示す吹出口装置の制御部からの情報を受けると、風量調整部に、前記吹出口装置に向かう調和空気の風量を減らしてあらかじめ設定された所定風量とする風量調整を行わせることを
特徴とする空気調和システム。
【請求項３】
前記請求項１又は２に記載の空気調和システムにおいて、
室内空間にいる使用者の入力操作を受けて、前記制御部に対し切替機構部での調和空気の吹出し状態切替の指示を送る操作用端末を備え、
当該操作用端末が、室内空間における操作用端末近傍の温度を測定する温度センサを有し、当該温度センサで得られた温度情報を前記風量制御部に対し風量調整用の情報として送ることを
特徴とする空気調和システム。
【請求項４】
前記請求項１ないし３のいずれかに記載の空気調和システムにおいて、
前記制御部が、調和空気を主に拡散吹出部を通じて吹出す状態から、調和空気を主に局所吹出部を通じて吹出す状態に切替機構部で切替えさせた後、調和空気を主に局所吹出部を通じて吹出す状態を第一の所定時間継続させ、続いて、切替機構部に、あらためて調和空気が主に拡散吹出部を通じて吹出す状態に、第二の所定時間をかけて徐々に切替えさせるようにし、
制御部が、室内空間外の気温及び／又は室内空間の温度に基づいて、前記第一の所定時間、及び第二の所定時間を調整制御することを
特徴とする空気調和システム。
【請求項５】
前記請求項１ないし４のいずれかに記載の空気調和システムにおいて、
室内空間に空気調和対象としての複数の単位領域が設定され、各単位領域ごとに、一単位領域に面する一又は複数の吹出口装置と、当該吹出口装置にダクトを介して接続される一つの風量調整部との組がそれぞれ配設され、
前記単位領域ごとに一又は複数配設され、当該単位領域における人の存在の有無を検出する人感センサを備え、
前記風量制御部が、前記単位領域ごとの各人感センサの検出情報を入力され、所定の単位領域における全ての人感センサで人の存在を検出しなくなると、前記所定単位領域に対応する風量調整部が吹出口装置に向かう調和空気の風量を減らして、あらかじめ設定された最小風量とするように、風量調整部の作動制御を実行することを
特徴とする空気調和システム。
【請求項６】
前記請求項５に記載の空気調和システムにおいて、
室内空間における全ての人感センサの検出結果に基づいて、人の存在する単位領域が室内空間の全ての単位領域に対し所定割合以下となった場合、人の存在する単位領域の吹出口装置における制御部が、吹出口装置の吹出し状態が調和空気を主に局所吹出部を通じて吹出す状態となるようにすることを
特徴とする空気調和システム。
【請求項７】
前記請求項１ないし６のいずれかに記載の空気調和システムにおいて、
前記吹出口装置が、
前記調和空気が通過する所定開口断面形状の開口部を取囲んだ略箱状体として形成され、天井の所定位置に配設され、前記開口部の中心部分における空気調和対象空間寄り部位に局所吹出部を配置されると共に、開口部における前記局所吹出部の側方に拡散吹出部をそれぞれ配置されてなり、前記ダクトと接続されて前記開口部に調和空気を導入する吹出口本体と、
当該吹出口本体内部における局所吹出部よりダクト寄りとなる所定位置に配設され、制御部の制御に基づいて作動し、送出空気を局所吹出部の空気通路のみに流入させる送風用ファンと、
前記吹出口本体における、ダクトとの接続部分と前記送風用ファンの調和空気流入部分との間に少なくとも配設され、吹出口本体の開口部を仕切って、調和空気を局所吹出部に向かうものと拡散吹出部に向かうものとに分ける遮蔽部とを備え、
前記送風用ファンが、前記切替機構部の少なくとも一部として、制御部により、調和空気が局所吹出部から主に吹出す状態で作動させられ、且つ調和空気が拡散吹出部から主に吹出す状態で非作動とされることを
特徴とする空気調和システム。
【発明の詳細な説明】
【技術分野】
【０００１】
本発明は、空気調和対象空間に複数の吹出口装置により調和空気を吹出して空気調和を行うシステムに関する。
【背景技術】
【０００２】
ビル内のオフィス空間等の室内空間に対し空気調和を行う場合、調和空気を空気調和対象の室内空間に吹出す吹出口は、室内空間への調和空気の到達しやすさ等を考慮して天井に配設されることが一般的である。そして、こうした比較的広い室内空間に対し空気調和を行う場合、ダクトを介して空気調和機と複数の吹出口とを接続した系統内に設けられたＶＡＶ等のダンパの制御を行い、吹出口から吹出す風量の調整を行うことで、室内空間の温度等を適温とする仕組みが採用されている。このような従来の空気調和システムの例として、特開平８−７５２３１号公報に開示されるものがある。
【０００３】
こうした従来の空気調和システムにおいて、天井の吹出口には、一般に調和空気の空間への拡散性に優れる多層コーン型やパン型等の吹出口装置を用いていた。しかし、こうした吹出口装置のみを採用したシステムでは対応できないニーズに応えるため、例えば実開平５−１８９４４号公報のようなシステムも提案されていた。
【先行技術文献】
【特許文献】
【０００４】
【特許文献１】特開平８−７５２３１号公報
【特許文献２】実開平５−１８９４４号公報
【発明の概要】
【発明が解決しようとする課題】
【０００５】
前記特許文献１に示されるような従来のシステムによる空気調和では、天井に設けられる吹出口において、居住域でのドラフトが生じない吹出し状態となるようにするのが一般的である。また、近年ではエネルギー消費抑制の観点から空気調和で得られる室内温度と外気温度との差を小さくする傾向にある。このような空気調和状態で、外気温が極端に高い場合や低い場合には、人が外部から室内空間に入ってきて、外気の温度に慣れた状態から室内空気に接して体感する冷感や温感に物足りなさを感じることが多い。
【０００６】
しかしながら、従来の拡散性を重視した吹出口を採用して室内全体を対象とするシステムでは、こうした一部の人の体感する冷感や温感を満足のいくものとするために、局所的に空気調和を行うことはできず、室内空間全体の空気調和状態を調整せざるを得なかった。室内空間全体の空気調和状態の調整では、温度変化を望む使用者の期待する室内温度になるのに時間がかかり、また、室内空間に当初から居て室内温度に慣れた人には、調整の結果不快と感じる温度にもなり得るなど、適切な対応を採りにくい上、空間全体を調整する分、空気調和に投入するエネルギー量が多くなってしまうという課題を有していた。
【０００７】
一方、ノズル型やパンカールーバー型など、風向調整可能で吹出気流の指向性に優れる吹出口を、使用者に対する局所的な空気調和に用いるようにすれば、使用者近傍へ集中的に達する調和空気により使用者の周囲領域に温度変化を生じさせやすくなり、使用者の好む温度に到達するまでの時間を短縮できるなど、使用者に対するより効果的な空気調和が期待できる。
【０００８】
そして、このような指向性の強い吹出口と、室内空間全体を均一に温度調整するための吹出口を併用して、各人の温度の好みへの適合性を高めたシステムが、前記特許文献２に示されるように従来から提案されている。このような従来のシステムは、調和空気を生成する空気調和機からの給気系統に二種類の吹出口が接続され、このうち、指向性の強い吹出口を適切に活用することで、使用者の体感を効率的に変化させることが可能となる。
【０００９】
こうした従来のシステムでは、吹出口から吹出す風量は、設定された室内温度に対応してＶＡＶ等で調整される。そして通常は、調和空気を生成し送給する空気調和機がＶＡＶ等での風量調整と連動制御されることで、吹出口から吹出す風量に見合った適切な量の調和空気が空気調和機から送られるようにされる仕組みである。
【００１０】
ただし、主に指向性の強い吹出口で室内空間へ局所的に調和空気を送り込む場合と、主に拡散性を重視した吹出口で室内空間の広い範囲に調和空気を送り込む場合とで、室内空間に達する調和空気の風量そのものは特に変化しないことから、吹出し状態の切替を導入している場合でも空気調和機の稼動状態は従来とほとんど変わりなく、空気調和に係るエネルギーの抑制には至っていない。
【００１１】
本発明は前記課題を解消するためになされたもので、室内空間の広い領域を対象とした吹出しと局所的な吹出しを併用すると共に、吹出し状態に応じて室内空間への吹出し風量を調整し、室内空間内の使用者に対する空気調和の効果は低下させることなく、調和空気の送給量を適切なものとして省エネルギー化が図れる、空気調和システムを提供することを目的とする。
【課題を解決するための手段】
【００１２】
本発明に係る空気調和システムは、空気調和対象の室内空間に面する開口部を有して前記室内空間の天井に配設され、供給される調和空気を前記開口部から室内空間に吹出す吹出口装置を複数備える空気調和システムにおいて、略箱状体として天井に一又は複数配設され、前記各吹出口装置にそれぞれダクトを介して接続され、各吹出口装置へ向かう調和空気の風量を調整する風量調整部と、少なくとも前記室内空間の温度の状態に基づいて、前記風量調整部に調和空気の風量の調整を行わせる風量制御部とを備え、前記吹出口装置が、内側が空気通路となる略筒状部を有して、向き調整可能に配設され、前記空気通路に調和空気を流入させ、調和空気を空気通路延長方向に案内して吹出す一又は複数の局所吹出部と、一又は複数所定配置で並べた略板状の案内体を有して、前記局所吹出部の側方にそれぞれ配設され、各案内体に沿って調和空気を進行させて、調和空気を空気調和対象空間に拡散状態で吹出す複数の拡散吹出部と、調和空気を局所吹出部に向かわせて調和空気が主に局所吹出部を通じて吹出す状態と、調和空気を拡散吹出部に向かわせて調和空気が主に拡散吹出部を通じて吹出す状態とを切替える切替機構部と、当該切替機構部における調和空気の吹出す状態の切替を制御する制御部とを有し、所定の吹出口装置の制御部が、切替機構部に調和空気の吹出し状態切替を行わせると、切替に係る情報を前記風量制御部に送り、前記風量制御部が、制御部からの情報を受けると、風量調整部に、前記所定の吹出口装置に向かう調和空気について、切替後の吹出し状態に対応する風量調整を行わせるものである。
【００１３】
このように本発明によれば、吹出口装置として局所吹出部と拡散吹出部を有して、主に局所吹出部から室内空間の所望の位置へ調和空気を局所的に吹出す状態と、主に拡散吹出部から室内空間に調和空気の気流を広く拡散させる状態とを選択できるようにすると共に、吹出される調和空気の風量を、室内温度に合わせる通常の調整に加えて、各吹出し状態にも対応させて調整することにより、調和空気を吹出口装置の拡散吹出部から広い範囲に吹出して、室内空間の広範囲の領域に、調和空気を確実に拡散させて空気調和を行える状態と、局所吹出部から使用者の存在する特定の狭い領域に向けて局所的に吹出す状態を適宜切り替えつつ、各吹出し状態により異なる、使用者の空気調和効果の体感しやすさに見合った適切な風量に調整して調和空気を吹出せることとなり、室内空間の使用者における空気調和に基づく快適感を確保しつつ、室内空間全体を一様に変化させる大風量での調和空気送給の機会を少なくして、効率よく空気調和を実行でき、空気調和のコストを抑えられる。
【００１４】
また、本発明に係る空気調和システムは必要に応じて、前記風量制御部が、調和空気を主に局所吹出部を通じて吹出す状態となるよう切替機構部で切替を行ったことを示す吹出口装置の制御部からの情報を受けると、風量調整部に、前記吹出口装置に向かう調和空気の風量を減らしてあらかじめ設定された所定風量とする風量調整を行わせるものである。
【００１５】
このように本発明によれば、吹出口装置の局所吹出部から調和空気が室内空間の所定範囲に局所的に吹出されるように切替機構部が作動した場合に、風量制御部が風量調整部を作動させて調和空気の風量を抑えるようにすることにより、使用者が調和空気の気流を体感でき、空気調和効果をより顕著に与えられる局所的な吹出し状態では、使用者が空気調和による快適感を得られる範囲で風量を減らして、調和空気の送給量を抑えられることとなり、使用者の快適感を確保しつつ、調和空気送給に係るエネルギー消費の抑制が図れる。
【００１６】
また、本発明に係る空気調和システムは必要に応じて、室内空間にいる使用者の入力操作を受けて、前記制御部に対し切替機構部での調和空気の吹出し状態切替の指示を送る操作用端末を備え、当該操作用端末が、室内空間における操作用端末近傍の温度を測定する温度センサを有し、当該温度センサで得られた温度情報を前記風量制御部に対し風量調整用の情報として送るものである。
【００１７】
このように本発明によれば、吹出し状態の切替を操作用端末への入力操作で行えるようにすると共に、一般的に使用者の近くに置かれる操作用端末に温度センサを設けて、室内空間のうち操作用端末のある使用者近くの温度が風量制御部に取得されることにより、風量制御部が、この温度に基づいて、風量調整による室内空間の温度制御を実行して、使用者の体感する温度を目標温度に近付けていくこととなり、使用者の状況に確実に対応した適切な空気調和を実行できる。
【００１８】
また、本発明に係る空気調和システムは必要に応じて、前記制御部が、調和空気を主に拡散吹出部を通じて吹出す状態から、調和空気を主に局所吹出部を通じて吹出す状態に切替機構部で切替えさせた後、調和空気を主に局所吹出部を通じて吹出す状態を第一の所定時間継続させ、続いて、切替機構部に、あらためて調和空気が主に拡散吹出部を通じて吹出す状態に、第二の所定時間をかけて徐々に切替えさせるようにし、制御部が、室内空間外の気温及び／又は室内空間の温度に基づいて、前記第一の所定時間、及び第二の所定時間を調整制御するものである。
【００１９】
このように本発明によれば、調和空気を主に局所吹出部を通じて吹出す状態を継続する時間と、調和空気を局所吹出部を通じて吹出す状態から拡散吹出部を通じて吹出す状態へ切替わるまでの時間を、それぞれ室内空間外の気温や室内空間温度に基づいて調整し、空気温度に基づく使用者の体感に合わせて局所吹出部を通じて吹出しを行う時間を変化させると共に、主に局所吹出部を通じて吹出す状態から徐々に局所吹出部から吹出す調和空気量を抑えて拡散吹出部から吹出す状態に移行することで、使用者が室内空間の温度に慣れるまでの適切な時間で局所吹出部からの吹出しを実行させ、室内空間に対する空気調和をより効率よく実行できると共に、主に局所吹出部を通じて吹出す状態から拡散吹出部を通じて吹出す状態へ徐々に移行して使用者の快適感を損なうことがなく、室内空間への拡散吹出部を用いた空気調和状態に無理なくスムーズに移行して使用者に違和感を生じさせない。
【００２０】
また、本発明に係る空気調和システムは必要に応じて、室内空間に空気調和対象としての複数の単位領域が設定され、各単位領域ごとに、一単位領域に面する一又は複数の吹出口装置と、当該吹出口装置にダクトを介して接続される一つの風量調整部との組がそれぞれ配設され、前記単位領域ごとに一又は複数配設され、当該単位領域における人の存在の有無を検出する人感センサを備え、前記風量制御部が、前記単位領域ごとの各人感センサの検出情報を入力され、所定の単位領域における全ての人感センサで人の存在を検出しなくなると、前記所定単位領域に対応する風量調整部が吹出口装置に向かう調和空気の風量を減らして、あらかじめ設定された最小風量とするように、風量調整部の作動制御を実行するものである。
【００２１】
このように本発明によれば、室内空間に人が存在するか否かを検出する人感センサを設け、人感センサで使用者を検出できない状況では、風量制御部が風量調整部に風量調整を行わせ、風量を必要最小限にとどめることにより、使用者が室内空間に存在しない場合には、調和空気が拡散吹出部と局所吹出部のいずれから吹出されるかに関わりなく、風量を減らして、使用者の存在しない空間への空気調和による無駄なエネルギー消費を抑えられ、空気調和設備の運用コストを低減できる。
【００２２】
また、本発明に係る空気調和システムは必要に応じて、室内空間における全ての人感センサの検出結果に基づいて、人の存在する単位領域が室内空間の全ての単位領域に対し所定割合以下となった場合、人の存在する単位領域の吹出口装置における制御部が、吹出口装置の吹出し状態が調和空気を主に局所吹出部を通じて吹出す状態となるようにするものである。
【００２３】
このように本発明によれば、室内空間において人感センサで人の存在を検出できる単位領域の数が、全ての単位領域に対し所定の割合以下となり、人の存在を検出できない単位領域の風量が抑えられることで室内空間全体への調和空気の供給量は著しく減少し、人が存在する単位領域への空気調和に、室内空間の他の単位領域が負荷となって影響を及ぼしかねない状態でも、人が存在する単位領域における吹出口装置の制御部が、吹出口装置の吹出し状態を、主に局所吹出部を通じて調和空気を吹出す状態とし、人の周りの限られた領域のみ局所的に空気調和が行われるようにすることにより、必要最小限の調和空気送給で効率よく人の快適性を確保した空気調和が行え、空間全体の空気調和にとらわれて空気調和が非効率となってしまう事態を回避でき、空気調和に係るコストを抑えられる。
【００２４】
また、本発明に係る空気調和システムは必要に応じて、前記吹出口装置が、前記調和空気が通過する所定開口断面形状の開口部を取囲んだ略箱状体として形成され、天井の所定位置に配設され、前記開口部の中心部分における空気調和対象空間寄り部位に局所吹出部を配置されると共に、開口部における前記局所吹出部の側方に拡散吹出部をそれぞれ配置されてなり、前記ダクトと接続されて前記開口部に調和空気を導入する吹出口本体と、当該吹出口本体内部における局所吹出部よりダクト寄りとなる所定位置に配設され、制御部の制御に基づいて作動し、送出空気を局所吹出部の空気通路のみに流入させる送風用ファンと、前記吹出口本体における、ダクトとの接続部分と前記送風用ファンの調和空気流入部分との間に少なくとも配設され、吹出口本体の開口部を仕切って、調和空気を局所吹出部に向かうものと拡散吹出部に向かうものとに分ける遮蔽部とを備え、前記送風用ファンが、前記切替機構部の少なくとも一部として、制御部により、調和空気が局所吹出部から主に吹出す状態で作動させられ、且つ調和空気が拡散吹出部から主に吹出す状態で非作動とされるものである。
【００２５】
このように本発明によれば、吹出口装置の吹出口本体開口部に、局所吹出部へ調和空気を送り込む送風用ファンを配設し、送風用ファンの作動で、局所吹出部から所望の位置へ調和空気の局所吹出しを行える状態と、送風用ファンの非作動に伴って主に拡散吹出部で調和空気を案内して、吹出口位置から空気調和対象空間に調和空気の気流を広く拡散させる状態とを選択できることにより、調和空気の気流を開口部の拡散吹出部から広い範囲に吹出して、空気調和対象空間の広範囲の領域に、調和空気を確実に拡散させて空気調和を行えることに加え、必要に応じて送風用ファンを作動させて、局所吹出部から使用者の存在する特定の狭い領域に向けて局所的に吹出せることとなり、風量調整部で吹出口装置への調和空気の供給風量を絞った場合でも、居住域の使用者の位置に確実に調和空気を送り込んで、使用者の体感温度を良好なものとすることができる。
【図面の簡単な説明】
【００２６】
【図１】本発明の第１の実施形態に係る空気調和システムの局所吹出時の気流到達状態説明図である。
【図２】本発明の第１の実施形態に係る空気調和システムの一単位領域分の天井取付状態説明図である。
【図３】本発明の第１の実施形態に係る空気調和システムの一単位領域分の天井裏配設状態説明図である。
【図４】本発明の第１の実施形態に係る空気調和システムにおける吹出口装置の天井取付状態底面図である。
【図５】本発明の第１の実施形態に係る空気調和システムにおける吹出口装置の平面図及び右側面図である。
【図６】図５のＡ−Ａ断面図、及び、第１の実施形態に係る空気調和システムにおける遮蔽部上面の開放状態説明図である。
【図７】本発明の第１の実施形態に係る空気調和システムのブロック図である。
【図８】本発明の第１の実施形態に係る空気調和システムにおける吹出口装置の通常吹出状態及び局所吹出状態説明図である。
【図９】本発明の第１の実施形態に係る空気調和システムにおける制御部の吹出し状態の切替に係る制御状態説明図である。
【図１０】本発明の第１の実施形態に係る空気調和システムにおける他の吹出口装置の天井取付状態底面図である。
【図１１】本発明の第２の実施形態に係る空気調和システムのブロック図である。
【図１２】本発明の第２の実施形態に係る空気調和システムにおける室内空間の各単位領域ごとの人感センサ検出結果に基づく風量調整部及び各吹出口装置の制御結果説明図である。
【発明を実施するための形態】
【００２７】
（本発明の第１の実施形態）
以下、本発明の第１の実施形態に係る空気調和システムを前記図１ないし図９に基づいて説明する。本実施形態では、空気調和対象の室内空間に面するグリッド式のシステム天井に配設される吹出口装置を用いるシステムの例について説明する。
【００２８】
前記各図において本実施形態に係る空気調和システムは、室内空間７０に面する天井８０に多数配設されて調和空気を吹出す吹出口装置１０と、室内空間７０に設定される複数の単位領域７１ごとに天井８０に配設されて、各吹出口装置１０へ向かう調和空気の風量を調整する風量調整部２０と、室内空間７０の温度の状態に基づいて風量調整部２０に調和空気の風量を調整させる風量制御部３０と、室内空間７０にいる使用者の入力操作を受けて、調和空気の吹出し状態切替指示を送信する操作用端末４０と、人の存在の有無を検出可能として前記各単位領域７１ごとに複数配設される人感センサ５０とを備える構成である。
【００２９】
本実施形態の例における室内空間７０での空気調和対象の単位領域７１は、天井８０下側の所定範囲とされて、室内空間の空気調和対象となる全ての部位がいずれかの単位領域内に入るようにして複数設定される。そして各単位領域７１ごとに、一単位領域に面する複数の吹出口装置１０と、吹出口装置１０にダクト８１を介して接続される一つの風量調整部２０との組がそれぞれ設定されている（図３参照）。
【００３０】
前記吹出口装置１０は、前記単位領域７１ごとに複数配設され、一単位領域内の全ての箇所がいずれかの吹出口装置１０の吹出し範囲に位置するようにされる構成である。
この吹出口装置１０は、詳細には、矩形開口断面の開口部１７を取囲んだ略箱状体として形成され、空気調和対象の室内空間に面する天井８０に配設され、天井８０内でダクト８１と接続されて調和空気を供給される吹出口本体１１と、内側が空気通路となる略筒状部を有して、吹出口本体１１の開口部１７中心部分における室内空間寄り部位に支持される二つの局所吹出部１２と、吹出口本体１１の開口部１７における局所吹出部１２の側方にそれぞれ配設されて、調和空気を室内空間に拡散状態で吹出す拡散吹出部１３と、吹出口本体１１内部における局所吹出部１２よりダクト８１寄りとなる所定位置に配設され、外部からの制御に基づいて作動する送風用ファン１４と、吹出口本体１１内部のダクト８１との接続部分と送風用ファン１４の調和空気流入部分との間に少なくとも位置しつつ、吹出口本体１１内部で局所吹出部１２及び送風用ファン１４を取り囲んで配設される略箱状の遮蔽部１６と、送風用ファン１４等の作動を制御する制御部１８とを備える構成である。
【００３１】
前記吹出口本体１１は、調和空気の通過する矩形開口断面の開口部１７を取囲む、金属等の強度の高い材質製の略箱状体として形成される構成である。また、吹出口本体１１の室内空間側の端部には、矩形開口断面形状を保ちつつ室内空間側に向けて拡開形状となる外コーン部１１ｂが形成されると共に、この外コーン部１１ｂの下端部から開口部１７に対する外側方向に突出する額縁部１１ｃが形成される構成である。
【００３２】
この額縁部１１ｃは、外コーン部１１ｂ下端部から開口部１７とは反対側となる外方へ所定幅突出する部分を周方向へ連続させて略鍔状とし、さらにその最外周部分を上方へ起立状態とした形状とされる構成である。そして、額縁部１１ｃが、天井８０に組立配設されたシステム天井（グリッド天井）の公知の支持枠８２に、同じく公知の取付用プレート８３等を介して、あるいは直接取付けられることで、吹出口本体１１は照明器具８４など他の天井配設機器と共に、天井８０の所定位置に固定される構成である（図４参照）。
【００３３】
この吹出口本体１１は、上部側面に一体に連結する筒状のネック部１１ａでダクト８１と接続され、このネック部１１ａを通じてダクト８１から調和空気の供給を受け、開口部１７に導入された調和空気を、室内空間に面する下部から、局所吹出部１２や拡散吹出部１３による案内を経て、室内空間に吹出す仕組みである。
【００３４】
吹出口本体１１の開口部１７の室内空間側における拡散吹出部１３に挟まれた中間部には、局所吹出部１２を室内空間に露出させる開口孔を穿設した化粧板１９が配設され、局所吹出部以外からの調和空気の漏れを防いでいる。
【００３５】
吹出口本体１１上面のネック部１１ａは、略楕円形、より厳密には長軸方向端部の半円形部分に挟まれた中間部分の外縁を直線状とする長円形の開口断面形状とされる筒体であり、天井８０内で調和空気供給用のダクト８１と接続される構成である。
【００３６】
前記局所吹出部１２は、外周部分が球面状とされると共に内側が空気通路となる略筒状体として形成され、吹出口本体１１の開口部１７中心部分における室内空間寄り部位に向きを調整可能として支持される構成であり、内側の空気通路に調和空気を流入させ、調和空気を各空気通路延長方向に案内して吹出す。これら局所吹出部１２は、それぞれを取り囲むように配設される略筒状の案内筒部１５を介して吹出口本体１１に支持される。
【００３７】
案内筒部１５は、局所吹出部１２の周囲から局所吹出部１２の調和空気流入側、すなわち上方に所定長さ延伸する略筒状体として形成され、内周側に局所吹出部１２の略球面状の外周面に摺動可能に接する曲面部を有して、吹出口本体１１内部に二つ並べて配設される構成であり、筒内部の空間を局所吹出部１２における調和空気流入側の空気通路開口部分に各々連通させている。
【００３８】
この案内筒部１５は、曲面部で局所吹出部１２が脱落しない状態を維持しつつ局所吹出部外周球面の球中心を回動の中心として回動可能に支持することで、局所吹出部１２の向きを調整可能としている。
案内筒部１５の室内空間側には、化粧板１９が位置するため、室内空間からは局所吹出部１２の室内空間側の空気通路開口部分周囲のみ視認可能となっている。
【００３９】
前記送風用ファン１４は、吹出口本体１１内部における局所吹出部１２よりダクト８１寄りとなる所定位置に配設される、詳細には、各案内筒部１５における調和空気流入側の開口部分に取り付けられる構成であり、外部からの制御に基づいて作動し、送出空気を案内筒部１５を経て局所吹出部１２の空気通路のみに流入させる。
【００４０】
この送風用ファン１４は、使用者の操作用端末４０を用いた遠隔操作に基づいて制御部１８により作動状態と非作動状態を切替えられる仕組みである。送風用ファン１４の構成自体は、公知の軸流ファンと同様のものであり、詳細な説明を省略する。
【００４１】
送風用ファン１４と局所吹出部１２との間の案内筒部１５内部には、送風用ファン１４により生じた気流の旋回速度成分を減衰させて気流の直進性を高めるための公知の板状の整流部１５ａが、案内筒部１５内部を横断して配設される。
【００４２】
前記拡散吹出部１３は、角錐台の錐面状の拡開形状をなす配置となるように並べた複数の略板状の案内体１３ａを、さらに複数組所定間隔で並べて組合わせたものである。この拡散吹出部１３は、最外周部分の案内体傾斜面を吹出口本体１１の外コーン部１１ｂ内側面に対向させて、いずれの案内体１３ａも室内空間側に向けて拡開状となる配置形態として、吹出口本体１１の開口部１７における中央の二つの局所吹出部１２を挟む両側の室内空間寄り位置にそれぞれ配設される構成である。そして、拡散吹出部１３では、各案内体１３ａに沿って調和空気を進行させて、調和空気を室内空間に対し水平方向の気流となるように吹出して、室内空間に広く拡散させる仕組みである。
【００４３】
拡散吹出部１３における各案内体１３ａは、細長い矩形状の薄板を、長手方向に直交する断面形状が、空気抵抗の小さい形状となるように形成されたものであり、案内体１３ａ同士の平行に複数並んだ並び方向を気流案内方向とされる。こうした案内体１３ａを組み合わせた各拡散吹出部１３の構造は、従来の多層コーン型吹出口に用いられる公知の中コーン部を切断、分割したものに相当しており、詳細な説明を省略する。
【００４４】
なお、拡散吹出部１３においては、案内体１３ａを拡開形状に組み合わせたものを大小二組用いる構成としているが、これに限らず、案内体の組み合わせを一組のみ設けたり、三組以上設けるようにすることもできる。
【００４５】
また、二つの拡散吹出部１３は、局所吹出部１２のある化粧板１９部分を挟んで同じ大きさとしてそれぞれ設定しているが、大きさの設定はこれに限られるものではなく、拡散吹出部ごとに大きさが異なるようにすることもできる。
【００４６】
前記遮蔽部１６は、吹出口本体１１内部における、ダクトとの接続部分と前記送風用ファンの調和空気流入部分との間に少なくとも配設され、吹出口本体１１の開口部を仕切って、調和空気を送風用ファン１４に向かう一部と拡散吹出部１３に向かう他部とに分けるものである。
【００４７】
詳細には、遮蔽部１６は、略箱状に形成され、吹出口本体１１内部で局所吹出部１２及び送風用ファン１４が取り付けられた二つの案内筒部１５をまとめて取り囲んで配設される構成である。
【００４８】
前記遮蔽部１６は、薄板製の略矩形箱状体で形成され、平面状の上面部に矩形状の孔１６ａをこの上面の長辺方向へ一列に並べて所定ピッチで複数穿設配置されると共に、下側を開放状態とされ、上面側をネック部１１ａ近傍に位置させて吹出口本体１１内側に配設される構成である。
【００４９】
そして、この遮蔽部１６は、吹出口本体１１のダクト８１との接続部分と、送風用ファン１４の調和空気流入部分との間に位置する上部を、孔が複数穿設される板状体を二枚重ね合わせて且つ互いに摺動可能に配置した開閉構造とされる。詳しくは、この遮蔽部１６における板状の上面部上側に、この上面部に沿って摺動可能となる略板状のスライド板１６ｂが、各送風用ファン１４に対応させて二組配設される構成である。そして、これらのスライド板１６ｂを遮蔽部上面部に対し移動させ位置変化させるアクチュエータ１６ｆが、遮蔽部１６の横にそれぞれ配設される構成である。
【００５０】
前記スライド板１６ｂは、遮蔽部１６の上面部の半分より若干小さい大きさの略矩形薄板として形成され、この遮蔽部１６の上面部の孔１６ａと略同じ形状並びに配置で複数の孔１６ｃを穿設されてなり、遮蔽部１６の上面部に沿って孔１６ｃの並ぶ方向に摺動自在に配設される構成である。
【００５１】
前記アクチュエータ１６ｆは、遮蔽部１６の横に配設され、可動部分をスライド板１６ｂ側端部と連結される構成であり、スライド板１６ｂを遮蔽部１６側の孔１６ａと孔同士重なり合った全開状態位置から、各孔１６ｃが孔１６ａと重ならないよう孔１６ｃの複数配列方向にずれた位置までの間で位置変化させる仕組みである。
【００５２】
このアクチュエータ１６ｆによるスライド板１６ｂの位置調整で、孔１６ａ、１６ｃ同士が全く重ならない全閉状態（図５（Ａ）、図８（Ａ）参照）と、孔１６ａ、１６ｃ同士が全て重なり合った全開状態（図６（Ｂ）、図８（Ｂ）参照）とを切替えることができる。そして、アクチュエータ１６ｆは、送風用ファン１４の作動状態と非作動状態の切替えに対応して作動するよう制御されており、送風用ファン１４が作動状態になると、アクチュエータ１６ｆがスライド板１６ｂを動かして、孔１６ａ、１６ｃが全て重なり合った全開状態とし、逆に、送風用ファン１４が非作動状態になると、アクチュエータ１６ｆがスライド板１６ｂを動かして、孔１６ａ、１６ｃが全く重ならない全閉状態とする仕組みである。なお、このアクチュエータ１６ｆの可動機構自体は公知のものであり、詳細な説明を省略する。
【００５３】
このように、遮蔽部１６の上面部では、アクチュエータ１６ｆによる駆動でスライド板１６ｂを上面部に対し相対移動させて、孔が互いに重なり合い、孔を調和空気が通過可能な開状態と、孔が互いに重なり合わず、孔を調和空気が通過できない閉状態とを切替えられる。
【００５４】
これにより、遮蔽部１６上面部の開状態では調和空気が孔を通過し、同時に作動する送風用ファン１４を経由して、局所吹出部１２の流入側開口に流入して局所吹出部１２から吹出される。また、遮蔽部１６上面部の閉状態では、この上面部に達した調和空気が、閉じた孔を通過できずにそのまま上面部に沿って側方に移動して拡散吹出部１３に至り、拡散吹出部１３から吹出される。この遮蔽部１６上面部の閉状態では、送風用ファン１４も非作動状態であり、ダクト側から吹出口本体の開口部１７に流入した調和空気の大部分が遮蔽部１６により拡散吹出部１３側へ案内される仕組みである。
【００５５】
こうして、送風用ファン１４と遮蔽部１６が、調和空気を局所吹出部１２に向かわせて調和空気が主に局所吹出部１２を通じて吹出す状態と、調和空気を拡散吹出部１３に向かわせて調和空気が主に拡散吹出部１３を通じて吹出す状態とを切替える切替機構部の役割を果たすこととなる。そして、これら切替機構部をなす送風用ファン１４と遮蔽部１６を制御部１８で制御することで、調和空気の吹出す状態の切替を、使用者の操作に基づいた、あるいはあらかじめ設定された、所定のタイミングで実行できる仕組みである。
【００５６】
前記制御部１８は、各吹出口装置１０ごとに配設され、吹出口本体１１内の送風用ファン１４や遮蔽部１６のアクチュエータ１６ｆと電気的に接続されて、室内空間に在室する使用者の各吹出口装置に対応したリモコン等の操作用端末４０から、操作情報の信号を受信し、信号に基づいて送風用ファン１４やアクチュエータ１６ｆに対し、これらの作動を制御し、調和空気の吹出す状態の切替を行わせるものである。
【００５７】
制御部１８は、切替機構部としての送風用ファン１４や遮蔽部１６を制御して調和空気の吹出し状態を切替えると、この吹出し状態切替に係る所定の信号を風量制御部３０に送信する。風量制御部３０はこの制御部１８からの信号を受けて、風量調整部２０で吹出口装置１０へ向かう調和空気の風量を各吹出し状態に対応する風量に調整することとなる。
【００５８】
制御部１８は、送風用ファン１４が非作動の状態で、使用者が操作用端末４０に対し局所的吹出しの指示操作を行った場合に、操作用端末４０から発信された信号を受け、送風用ファン１４を作動させて局所吹出部１２側へ調和空気を送出すると共に、遮蔽部１６のアクチュエータ１６ｆを作動させてスライド板１６ｂをスライドさせ、遮蔽部１６の上面部を開放状態とする。これにより、ダクト８１からの調和空気が最短経路で送風用ファン１４側に向かうようになり、吹出口装置１０で調和空気を主に局所吹出部１２を通じて吹出す状態が得られる。この状態では、調和空気は局所吹出部１２からスムーズに吹出されて、居住域の所望の領域に調和空気の気流を局所的に到達させられることとなる。
【００５９】
そして、制御部１８は、この調和空気を主に局所吹出部１２を通じて吹出す状態を、室内空間外の気温及び室内空間の温度に基づいて、詳細には、室内空間外の気温（外気温）と室内空間の温度との差に応じて、適宜設定される第一の所定時間分継続させる仕組みである。温度差が大きい場合は、操作用端末４０の操作で調和空気を主に局所吹出部１２を通じて吹出す状態を選択した使用者が、例えば、外から室内空間に入ってきて室内空間全体の空気調和状態に慣れるのに時間がかかる状況等を考慮して、第一の所定時間を長めに設定する。逆に温度差が小さい場合は、外から室内空間に入ってきた使用者が室内空間全体の空気調和状態に馴染みやすいことに伴って、第一の所定時間は短く設定される。
【００６０】
加えて、制御部１８は、この第一の所定時間が経過したら、切替機構部をなす送風用ファン１４や遮蔽部１６に対し、調和空気を主に局所吹出部１２を通じて吹出す状態から、あらためて調和空気を主に拡散吹出部１３を通じて吹出す状態に、第二の所定時間をかけて徐々に切替えさせるように制御する仕組みである。
【００６１】
この第二の所定時間も、室内空間外の気温（外気温）と室内空間の温度との差に応じて、その長さを適宜設定される。例えば、温度差が大きい場合は、前記第一の所定時間が長くなるため、局所吹出部１２を通じて吹出される調和空気との接触に慣れた使用者が、短時間で調和空気を主に拡散吹出部１３を通じて吹出す状態に切替えられた場合に違和感を感じやすい状況等を考慮して、第二の所定時間を長めに設定する。逆に温度差が小さい場合は、前記第一の所定時間が短くなるため、短時間での切替に違和感を感じにくくなることに伴って、第二の所定時間は短く設定される。
【００６２】
第二の所定時間で、局所吹出部１２を通じての吹出し状態から拡散吹出部を通じての吹出し状態への切替を徐々に実行する制御部１８の具体的な制御としては、遮蔽部１６のアクチュエータ１６ｆでスライド板１６ｂをスライドさせ、遮蔽部１６における開放状態の孔の開度を徐々に減少させることで局所吹出部１２を通じての吹出風量を減らし、相対的に拡散吹出部を通じての吹出風量を増大させていく制御（図９（Ａ）参照）や、送風用ファン１４の回転数を徐々に低下させて局所吹出部１２を通じての吹出風量を減らし、相対的に拡散吹出部を通じての吹出風量を増大させていく制御（図９（Ｂ）参照）が、実行される。
【００６３】
この他、制御部１８は、局所吹出部１２から局所的に吹出しを行っている状況においても、送風用ファン１４の回転数制御による送風量調整や、スライド板１６ｂのスライドによる開度調整を行って、局所吹出部１２から吹出される調和空気の風量を調整して使用者近傍への到達度合いを変えるようにすることもできる。
【００６４】
一方、制御部１８は、送風用ファン１４が作動する状態で、使用者が操作用端末４０に対し局所的吹出し停止の指示操作を行った場合に対応して、操作用端末４０から発信された信号を受け、強制的に送風用ファン１４の作動を停止させると共に、アクチュエータ１６ｆを作動させてスライド板１６ｂを前記と逆向きにスライドさせ、遮蔽部１６の上面部を閉止状態として、調和空気が主に拡散吹出部１３から吹出されるようにすることもできる。
【００６５】
なお、制御部１８は、送風用ファン１４やアクチュエータ１６ｆの制御に特化したものに限られず、グリッド式システム天井の場合に吹出口装置１近傍に配置される照明等の制御部、例えば、使用者からの操作用端末を介した指示で照明をＯＮ・ＯＦＦしたり明るさを変化させる制御部、を兼ねる構成とすることもできる。
【００６６】
前記風量調整部２０は、一単位領域に面する複数の吹出口装置１０とダクト８１及びチャンバ８２を介して接続されて、単位領域７１ごとにそれぞれ対応させて配設され、上流側の空気調和機（図示を省略）から供給されてチャンバ８２及びダクト８１を通じて吹出口装置１０へ向かう調和空気の風量を調整するものである。また、風量調整部２０は、風量制御部３０と電気的に接続され、風量制御部３０から制御指令を受取り、風量制御部３０の制御下で作動して、調和空気を風量制御部３０による制御に応じた風量に調整する。
【００６７】
この風量調整部２０は、通過風速を検出するセンサや、開度を調整するダンパを内蔵して、上流側からの調和空気の供給風量が変化しても、制御に基づき設定された風量を維持するよう調整制御を行う公知の変風量調整装置（ＶＡＶ）であり、詳細な説明を省略する。そして、風量調整部２０で風量調整を行うと、従来同様、この風量調整に連動して風量調整部２０の上流側に位置する空気調和機や送風装置から送給される調和空気の風量も調整される仕組みである。こうした上流側の空気調和機等の風量調整を連動させる手法も公知のものであり、説明を省略する。
【００６８】
風量調整部２０に接続されるチャンバ８２は、一つの単位領域７１に面する複数の吹出口装置１０にそれぞれ通じた複数のダクト８１を各々接続される略箱状体として、室内空間に面する天井内に複数配設され、風量調整部２０を通過した調和空気を各吹出口装置１０に分配するものである。このチャンバ８２も、供給された調和空気を、接続されたダクト８１を介して各吹出口装置１０に分配する公知の装置であり、詳細な説明を省略する。また、ダクト８１も、一端部をチャンバ８２に、他端部を吹出口装置１０にそれぞれ接続されて天井８０に配設される公知の管路であり、詳細な説明を省略する。
【００６９】
この風量調整部２０が、風量制御部３０からの制御指令を受けて、吹出口装置１０へ向う調和空気の風量を、設定された目標風量となるよう調整する作動を実行することとなる。なお、風量調整部２０は、別途設けられる人感センサ５０で人の存在を検出できない場合における風量制御部３０による制御で、調和空気を所定の最小風量とする。この最小風量としては、各吹出口装置１０から吹出される調和空気で、室内空間の空気の一部を外部に流出させて換気を行える必要最小限の風量、をあらかじめ設定されている。
【００７０】
前記風量制御部３０は、各風量調整部２０と対にして設けられ、室内空間の温度情報を入力され、吹出口装置１０に接続された風量調整部２０がその吹出口装置１０に向かう調和空気の風量を、得られた温度と空気調和の目標温度とを一致させる適正量に調整するように、風量調整部２０の制御を行う構成である。この風量制御部が受け取る室内空間の温度情報としては、各吹出口装置１０に対応する操作用端末４０に内蔵された温度センサ４１の検出した温度の情報が用いられる。
【００７１】
風量制御部３０の風量調整に係る制御については、具体的には、温度センサ４１から得られた温度と空気調和の目標温度との差が大きい場合は、風量制御部３０は、風量調整部２０が吹出口装置１０に向かう調和空気の風量を大きくするように制御を行う。また、温度センサ４１から得られた温度が空気調和の目標温度に近いか一致する場合には、風量制御部３０は、風量調整部２０が吹出口装置１０に向かう調和空気の風量を、室内空間の温度を目標温度に維持可能となる所定量に維持するように、風量調整部２０の制御を行う。
【００７２】
こうした温度情報に基づく風量調整制御の他に、風量制御部３０は、制御部１８が送風用ファン１４や遮蔽部１６を制御して吹出口装置１０における調和空気の吹出し状態を切替える際に、制御部１８から送信される吹出し状態切替に係る情報を受け、風量調整部２０で吹出口装置１０へ向かう調和空気の風量を各吹出し状態に対応する風量に調整する制御も行う仕組みである。
【００７３】
具体的には、風量制御部３０は、制御部１８から、新たに調和空気を主に局所吹出部１２を通じて吹出す状態となる切替を行ったことを示す情報を受けると、風量調整部２０に、吹出口装置１０に向かう調和空気の風量を減らしてあらかじめ設定された所定風量とする風量調整を行わせる。一方、風量制御部３０は、制御部１８から、新たに調和空気を主に拡散吹出部１３を通じて吹出す状態となる切替を行ったことを示す情報を受けると、風量調整部２０に、調和空気の風量を減らした状態を解除するような風量調整を行わせることとなる。
【００７４】
このように、吹出口装置１０から吹出される調和空気の風量を、検出した温度に合わせる通常の調整に加えて、各吹出し状態にも対応させて調整することで、各吹出し状態により異なる、使用者の空気調和効果の体感しやすさに見合った適切な風量に調整して調和空気を吹出せる。特に、使用者が調和空気の気流を体感しやすく、空気調和効果をより顕著に与えられる局所的な吹出し状態では、使用者が空気調和による快適感を得られる範囲で風量を減らし、調和空気の送給量を抑えることで、使用者の快適感を確保しつつ、調和空気送給に係るエネルギー消費の抑制が図れる。
【００７５】
また、風量制御部３０は、各単位領域７１ごとに複数設けられる人感センサ５０の検出情報を入力され、単位領域におけるいずれかの人感センサで人の存在を検出している場合は、風量調整部２０が吹出口装置１０に向かう調和空気の風量を温度センサの検出温度に対応して調整する状態とする。一方、単位領域７１におけるいずれの人感センサでも人の存在を検出できない場合は、単位領域７１ごとの風量調整部２０が吹出口装置１０に向かう調和空気の風量をあらかじめ設定された所定の最小風量とするように、各風量調整部２０の制御を行う。
【００７６】
風量制御部３０は、こうした人感センサ５０の検出情報の入力を受け、人の存在検出の有無に基づく風量調整部２０の調和空気風量調整に係る制御を、所定の時間間隔（例えば、数分に一回）で実行している。すなわち、この制御の間隔で、風量制御部３０により各単位領域７１における人の存在に基づく空気調和の状態が更新されることとなる。
【００７７】
なお、室内空間の使用形態、例えばオフィスとしての使用、に基づいて既知となっている、就業時間以外など、人の移動の起り得る状況から人が存在せず動きのない状況への移行に合わせて、人感センサ５０側からの信号送信とこれに基づく風量制御部３０での風量調整部２０の制御実行の頻度を少なくする、すなわち、制御実行の時間間隔をより長いもの（例えば、十数分に一回）に変えるようにすることもできる。
【００７８】
前記操作用端末４０は、吹出口装置１０ごとに対応させて設けられ、使用者の入力操作を受けて、各吹出口装置１０の制御部１８に対し切替機構部での調和空気の吹出し状態切替の指示を送るものである。具体的には、調和空気を主に局所吹出部１２を通じて吹出す状態の開始を、使用者によるスイッチ等の操作に基づき送信指示することとなる。また、操作用端末４０は、調和空気を主に局所吹出部１２を通じて吹出す状態を停止し、調和空気を主に拡散吹出部１３を通じて吹出す状態に強制的に切替えるスイッチ等を有するようにしてもよい。
【００７９】
この操作用端末４０は、室内空間における操作用端末４０近傍の温度を測定する温度センサ４１を有しており、この温度センサ４１で得られた温度情報を、風量制御部３０に対し風量調整用の情報として送信する。なお、操作用端末４０は、この操作用端末が使用者の近傍にない状況や、温度センサ部分が室内空間の空気に直接触れていない状況における、温度の誤った検出を防止するために、使用者が操作用端末４０を持ってその操作を行う時にのみ、温度情報を風量制御部３０に対し送信する構成とすることもできる。
【００８０】
また、操作用端末４０は、吹出口装置１０ごとに割り当てられたリモコンに限られず、汎用の携帯通信端末やパーソナルコンピュータ等の機器でもよい。
そして、操作用端末４０と制御部１８との通信は、リモコン等で一般的な赤外線式や電波式の他、例えばIEEE 802.11シリーズやIEEE 802.15シリーズの規格方式に代表される無線通信を用いることもできる。
【００８１】
前記人感センサ５０は、単位領域７１ごとに複数配設され、各単位領域７１における人の存在の有無を検出するものである。詳細には、人感センサ５０は、各単位領域７１における各吹出口装置１０の室内空間に面する所定箇所に、検出部分を下方に向けて取り付けられ、単位領域７１におけるセンサ検出範囲が、互いに近接しながらも重ならないようにして、一単位領域内の全ての部位が複数のセンサのいずれかの検出範囲に含まれる配置とされるものである。
【００８２】
この人感センサ５０は、単位領域７１ごとに設けられる風量制御部３０と電気的に接続され、風量制御部３０に検出情報の信号を送信し、この検出情報の信号が風量制御部３０に入力されることで、風量制御部３０で単位領域に存在する人の有無に応じた調和空気の風量制御が行えるようにしている。なお、人感センサ５０は、人の動きに伴う入射赤外線の変化を検出して電気信号を出力する公知の焦電型の人体検出用センサであり、詳細な説明を省略する。
【００８３】
次に、前記構成に基づく空気調和システムによる室内空間への空気調和状態について説明する。前提として、吹出口装置１０の吹出し状態として、送風用ファン１４を作動状態として主に局所吹出部１２を通じて局所的に調和空気を吹出す状態と、送風用ファンを非作動状態として、主に拡散吹出部１３を通じて調和空気を拡散させて吹出す状態のいずれかを選択可能であり、通常の状況では主に拡散吹出部１３を通じて調和空気を吹出す状態となり、使用者の操作用端末４０による遠隔操作により、主に局所吹出部１２を通じて局所的に調和空気を吹出す状態が選択されるものとする。
【００８４】
使用者が特に操作を行わない場合、主に拡散吹出部１３を通じて調和空気を拡散させて吹出す状態で吹出しが実行される。この場合、スライド板１６ｂは孔が閉塞状態となる位置にあり、送風用ファン１４は非作動状態となっている。
【００８５】
ダクト８１から供給された調和空気は、吹出口装置１０のネック部１１ａを通じてスムーズに吹出口本体１１の開口部１７へ進行し、遮蔽部１６をはじめとする開口部１７の各位置に向かう。この状態では、遮蔽部１６の孔が閉じていることで、ダクト８１から吹出口本体１１の開口部１７に進んだ調和空気は送風用ファン側に比べて拡散吹出部側へ進行しやすくなっている。特に、遮蔽部上面に達した調和空気は、遮蔽部上面を側方に進んで、室内空間寄りの拡散吹出部１３に到達する。こうして、ほとんどの調和空気を確実に拡散吹出部１３に向かわせることができる。
【００８６】
この場合、主に拡散吹出部１３から調和空気の気流を水平向きに室内空間へそれぞれ吹出して（図８（Ａ）参照）、室内空間の広範囲の領域に、調和空気を確実に拡散させて空気調和を行い、室内空間を一様に温度調節する状態が得られる。
【００８７】
一方、使用者が主に局所吹出部から局所的に吹出しを行う状態を、操作用端末４０の操作で選択した場合、これに基づいて、制御部１８がアクチュエータ１６ｆを作動させ、アクチュエータ１６ｆによりスライド板１６ｂが動かされて遮蔽部上面部の孔１６ａが閉塞状態から開放状態になる。同時に、制御部１８は、送風用ファン１４も非作動状態から作動状態とする。またこの時、制御部１８は、調和空気を主に局所吹出部１２を通じて吹出す状態となる切替を行ったことを示す情報を、風量制御部３０に送信する。
【００８８】
ダクト８１から供給された調和空気は、吹出口本体１１のネック部１１ａを通じてスムーズに開口部１７へ進行し、遮蔽部１６をはじめとする開口部１７の各位置に向かうこととなる。
この状態では、ダクト８１から吹出口本体内に進んだ調和空気を、遮蔽部１６の孔１６ａを通じて、ダクト８１からの送出速度をできるだけ維持しつつ送風用ファンに流入させられ、さらに送風用ファン１４を作動させて調和空気に送風圧力を追加して、調和空気を案内筒部１５を通じて室内空間寄りの局所吹出部１２へ送り出すことができる。
【００８９】
これに伴い、主に局所吹出部１２から使用者の存在する室内空間の特定の狭い領域に向けて調和空気が局所的に吹出される。そして、局所吹出部１２から室内空間の狭い範囲へ調和空気が集中的に吹出されることで、居住域の使用者の位置まで調和空気を到達させられ、使用者の体に当たる気流から涼しさ又は暖かさを使用者に直接体感させられるなど、使用者を快適な状態に早期に移行させる優れた体感温度調整状態を得ることができる。
【００９０】
この状態では、風量制御部３０が、制御部１８からの吹出し状態の切替に係る情報を受けて、風量調整部２０に、吹出口装置１０に向かう調和空気の風量を拡散吹出部１３を通じた吹出しの場合よりも減らして、あらかじめ設定された所定風量とする風量調整も行わせている。このため、使用者が調和空気の局所的に吹出される気流と接して、空気調和に基づく快適感を得られる状態が確保される一方で、風量を適度に抑えたものにでき、調和空気の送給に係るエネルギーを抑制して、空気調和コストの低減が図れる。
【００９１】
なお、吹出口本体１１に対し局所吹出部１２を回動可能に配設していることで、局所吹出部１２を吹出口本体１１に対し回動調整して室内空間に面する開口の向きを変化させ、調和空気の吹出方向を変えることができる。使用者は局所吹出部の室内空間側の開口部分が化粧板１９の開口孔部分から露出可能な範囲内で、調和空気を吹出す向きを任意に調整できる（図６（Ｂ）参照）。吹出方向を居住域における使用者の状況に対応して適切に設定でき、効率よく空気調和を行える。
【００９２】
使用者の操作に基づいて、調和空気を主に局所吹出部１２を通じて吹出す状態となった後、制御部１８は、この主に局所吹出部１２を通じて調和空気を吹出す状態を、外気温等に基づいて設定される第一の所定時間分継続させる。
【００９３】
調和空気を主に局所吹出部１２を通じて吹出す状態が継続する第一の所定時間は、制御部１８において、例えば、室内空間外の気温（外気温）と室内空間の温度との差に応じて設定される。温度差が大きい場合はこの第一の所定時間を長めに設定することで、外部から室内空間に入ってきた使用者に、局所的な気流との接触で快適感を与えつつ、室内空間の空気調和状態に慣れる十分な期間を提供できる。逆に温度差が小さい場合は、第一の所定時間を短く設定しても、外部から室内空間に入ってきた使用者を室内空間の空気調和状態に容易に馴染ませることができる。いずれの場合も、調和空気の局所的な気流の活用で、調和空気を主に拡散吹出部１３を通じて吹出す状態に比べて効率よく使用者の快適な状態を得ることができる。
【００９４】
そして、第一の所定時間が経過すると、この調和空気を主に局所吹出部１２を通じて吹出す状態から、通常の主に拡散吹出部１３を通じて調和空気を吹出す状態に復帰する過程が開始し、制御部１８は、第二の所定時間をかけて、調和空気を主に拡散吹出部１３を通じて吹出す状態への切替を徐々に実行させる。具体的には、制御部１８は、遮蔽部１６のアクチュエータ１６ｆによりスライド板１６ｂを動かして遮蔽部１６の孔を開放状態から閉塞状態にする過程、及び／又は、送風用ファン１４を作動状態から回転数を落として非作動状態にする過程を、第二の所定時間で徐々に実行させることとなる（図９参照）。
【００９５】
制御部１８が、第一の所定時間の後に、第二の所定時間をかけて調和空気を主に拡散吹出部１３を通じて吹出す状態に徐々に切替えさせることで、局所的な調和空気の気流は徐々に弱まることとなり、局所吹出部１２を通じて吹出される局所的な調和空気の気流との接触に慣れた使用者が、局所的な気流が急激に減衰する場合のような違和感を感じずに済み、空気調和による快適感を維持しやすい。
【００９６】
切替後の、調和空気を主に拡散吹出部１３を通じて吹出す状態では、前記同様、遮蔽部１６の孔が閉じていることで、ダクト８１から吹出口本体１１の開口部１７に進んだ調和空気は送風用ファン側より拡散吹出部１３側へ進行しやすくなり、調和空気の気流を拡散吹出部１３から広い範囲に吹出して、室内空間の広範囲の領域に、調和空気を確実に拡散させて空気調和を行える。
【００９７】
また、吹出し状態の切替に際して、制御部１８は、調和空気を主に拡散吹出部１３を通じて吹出す状態となる切替を行ったことを示す情報を、風量制御部３０に送信する。そして、風量制御部３０は、制御部１８からの情報を受けると、風量調整部２０に、以前の切替に応じて調和空気の風量を減らした状態を解除する（風量を元に戻す）ような風量調整を行わせる。このため、調和空気を主に拡散吹出部１３から吹出す状態に切替わった後では、十分な風量の調和空気を拡散吹出部１３から拡散させて吹出して、吹出口装置１０に対応する単位領域の各部に、調和空気を確実に到達させることができる。
【００９８】
また、こうした空気調和の実行中、風量制御部３０では、操作用端末４０に内蔵された温度センサ４１の検出した、室内空間の温度情報を受け取り、吹出口装置１０に向かう調和空気の風量を、得られた室内空間の実測温度と、空気調和の目標温度とを一致させられる適正量となるように、風量調整部２０に風量調整を行わせている。温度センサ４１から得られた温度と空気調和の目標温度との差が大きい場合は、風量制御部３０は、風量調整部２０に調和空気の風量を大きくするようにさせ、室内空間に調和空気の温度の影響を強力に与え、室内空間の温度を目標温度に速やかに近付けていく。
【００９９】
また、温度センサ４１から得られた温度が空気調和の目標温度に近いか一致する場合には、風量制御部３０は、風量調整部２０が吹出口装置１０に向かう調和空気の風量を、極端に変化させず適量に維持して、室内空間の温度が目標温度に保たれるように制御を行う。
【０１００】
居住域の使用者が活動する位置の温度を操作用端末４０の温度センサ４１で測定し、得られた温度情報を風量制御部３０に送信して、この温度情報に基づいて風量調整部２０の風量制御を実行することから、使用者に近い位置の温度に基づく制御で使用者の実感に合った温度調整が行え、室内空間の快適性を向上させられる。
【０１０１】
さらに、風量制御部３０は、人感センサ５０の検出情報も受け取って、風量調整に係る制御を実行しており、対応する各吹出口装置のある単位領域７１におけるいずれかの人感センサ５０で人の存在を検出している場合には、通常通り温度センサ４１の検出温度に対応した風量調整部２０での風量調整を実行させる。ただし、単位領域７１にある全ての人感センサ５０で人の存在を検出できなくなった場合には、その情報を受けた風量制御部３０は、風量調整部２０が吹出口装置１０に向かう調和空気の風量をあらかじめ設定された最小風量とするよう、制御を行い、室内空間の単位領域における必要最小限の換気状態は確保しつつ、調和空気の不要な供給を防いで無駄なエネルギー消費を抑える。これにより、空気調和をより効率よく進められる。
【０１０２】
このように、本実施形態に係る空気調和システムにおいては、吹出口装置１０として局所吹出部１２と拡散吹出部１３を有して、主に局所吹出部１２を通じて室内空間の所望の位置へ調和空気を局所的に吹出す状態と、主に拡散吹出部１３を通じて室内空間に調和空気の気流を広く拡散させて吹出す状態とを選択できるようにすると共に、吹出される調和空気の風量を、室内温度に合わせる通常の調整に加えて、各吹出し状態にも対応させて調整することから、調和空気を吹出口装置１０の拡散吹出部１３から広い範囲に吹出して、室内空間の広範囲の領域に、調和空気を確実に拡散させて空気調和を行える状態と、局所吹出部１２から使用者の存在する特定の狭い領域に向けて局所的に吹出す状態を適宜切り替えつつ、各吹出し状態により異なる、使用者の空気調和効果の体感しやすさに見合った適切な風量に調整して調和空気を吹出せることとなり、室内空間の使用者における空気調和に基づく快適感を確保しつつ、室内空間全体を一様に変化させる大風量での調和空気送給の機会を少なくして、効率よく空気調和を実行でき、空気調和のコストを抑えられる。
【０１０３】
なお、前記実施形態に係る空気調和システムにおいては、吹出口装置１０の調和空気吹出し部分として二つの局所吹出部１２とこれらを挟む二組の拡散吹出部１３を配設する構成としているが、局所吹出部と拡散吹出部の数や配置はこれに限られるものではなく、例えば、図１０に示すように、四つの局所吹出部１２を設けると共に、これら局所吹出部１２を取り囲む周囲部分に四組の拡散吹出部１３を配設する構成とすることもできる。
【０１０４】
この場合、吹出口装置１０の吹出口本体１１は方形開口断面の開口部を取り囲む略箱状体となって、天井８０におけるグリッド式のシステム天井の支持枠８２に、取付用プレート８３を介して天井８０に固定でき、こうして天井８０に配設した状態で、前記実施形態同様、外周部の各拡散吹出部１３からは、水平に調和空気を吹出して室内空間に広く拡散させられる一方、必要に応じて、吹出し方向調整可能な局所吹出部１２から居住域の任意の位置へ調和空気の気流を到達させて局所的に空気調和を行える。
【０１０５】
また、前記実施形態に係る空気調和システムにおいては、吹出口装置１０と一対一に対応する制御部１８を用い、この制御部１８が使用者側の操作用端末４０からの信号を受け、切替機構部としての送風用ファン１４や遮蔽部１６のアクチュエータ１６ｆの作動制御を行う構成となっているが、この他、室内に在室している使用者の携帯電話やスマートフォン等の通信端末やコンピュータ等から、電話回線網やネットワークを通じて操作情報の信号を代表して受信する通信制御部と、室内の複数の吹出口装置にそれぞれ対応して作動制御を行う作動制御部とを備えて、通信制御部が各作動制御部のうち、通信端末から操作した使用者の位置に対応する吹出口装置の作動制御部に対し、作動指令の信号を送る構成とすることもでき、所定の吹出口装置専用のリモコン以外の、一般的な携帯通信端末等からでも、使用者が吹出口での局所的吹出しの実行を指示操作可能となり、さらに利便性を向上させられる。
【０１０６】
この場合、まず通信制御部が、室内空間の居住域における所定の使用者の例えば携帯電話等の通信端末から送信された操作情報の信号を受信し、この操作情報の信号から通信制御部が送信元の通信端末とその使用者を認識して、あらかじめ使用者に対応付けられた室内所定箇所における操作対象の吹出口装置の位置を割出すこととなる。そして、通信制御部は、この操作対象位置にある吹出口装置に対応する作動制御部に作動指令信号を送り、これを受けた作動制御部が、送風用ファンや遮蔽部の作動制御を行うこととなる。
【０１０７】
また、前記実施形態に係る空気調和システムにおいては、吹出口装置１０の制御部１８に作動制御される送風用ファン１４及び遮蔽部１６のアクチュエータ１６ｆを切替機構部として用い、制御部１８が送風用ファン１４の作動と非作動を切替えると共に、アクチュエータ１６ｆでスライド板１６ｂをスライドさせ、遮蔽部１６上面部の開閉状態を切替えて、調和空気が開いた遮蔽部１６の通過と送風用ファン１４の送風により主に局所吹出部１２を通じて吹出す状態と、調和空気が閉じた遮蔽部１６の案内により主に拡散吹出部１３を通じて吹出す状態とを選択可能な構成としているが、これに限らず、切替機構部として送風用ファンと遮蔽部以外の機構、例えば、吹出口装置内で、ダクトから流入する調和空気の通路を直接切り替えて局所吹出部に向かわせるか拡散吹出部に向かわせるかを選択する機構、等を用いる構成とすることもできる。
【０１０８】
また、前記実施形態に係る空気調和システムにおいては、制御部１８が使用者の操作に基づいて、調和空気の吹出し状態を、主に局所吹出部１２を通じて調和空気を局所的に吹出す状態に切替えた後、第一の所定時間が経過すると、自動的に、主に拡散吹出部１３を通じて吹出す状態に復帰させる構成としているが、これに限らず、使用者が、前記第一の所定時間の経過に関わりなく、操作用端末の操作を行うと、これを受けた制御部が、局所吹出部を通じて局所的に吹出しを行う状態を解除する構成とすることもできる。
【０１０９】
この場合も、前記同様に通常の主に拡散吹出部を通じて拡散させて吹出す状態に復帰することとなり、アクチュエータによりスライド板が動かされて孔が開放状態から閉塞状態となると共に、送風用ファンが作動状態から非作動状態となる。この状態で、ダクトから吹出口本体の開口部に進んだ調和空気は、遮蔽部の孔が閉じていることで、送風用ファン側より拡散吹出部側へ進行しやすくなり、調和空気の気流を主に拡散吹出部から広い範囲に吹出して、室内空間の広範囲の領域に、調和空気を確実に拡散させて空気調和を行える。
【０１１０】
また、前記実施形態に係る空気調和システムにおいては、操作用端末４０の温度センサ４１で取得した温度情報を風量制御部３０での風量調整に係る制御に用いる構成としているが、この他、操作用端末４０の温度センサ４１で得た温度情報を吹出口装置の送風用ファン等の制御部にも送信して利用してもよく、制御部で例えば使用者の近傍領域の温度が目標温度を大きく超える場合に、送風用ファンの回転数を落としたり、スライド板をスライドさせて遮蔽部上面部の開口率を下げたりなどして、居住域に局所的に到達する調和空気の気流を弱めるといった制御を実行するようにしてもよい。
【０１１１】
さらに、前記実施形態に係る空気調和システムにおいては、使用者の操作用端末４０の操作に基づいて制御部１８が送風用ファン１４を作動状態にいったん切替えたら、前記第一の所定時間が経過するまで、制御部１８は送風用ファン１４の作動状態を維持する構成としているが、これに限らず、吹出口装置１０に対応する人感センサ５０、及び／又は操作用端末４０の一部に設けた人感センサで人の存在を検出した情報を用いるようにし、局所吹出部１２からの調和空気吹出しの対象となる、居住域の所定領域における人の不在を人感センサで識別したら、制御部が送風用ファンを非作動状態にする構成とすることもできる。調和空気を主に局所吹出部を通じて局所的に吹出す状態では、対象となる使用者が存在しない場合には、送風用ファンを使用してまで居住域まで調和空気の気流を到達させる必要がないことから、送風用ファンを作動させず停止させることで、送風用ファンの作動に係るエネルギー消費を削減でき、空気調和コストの抑制が図れる。
【０１１２】
この場合、送風用ファン停止に合わせて、スライド板をスライドさせて遮蔽部上面部を閉状態とし、局所吹出部からの局所的吹出し自体を停止する構成とすることもできる。すなわち、吹出し状態が調和空気を主に局所吹出部を通じて局所的に吹出す状態のまま、調和空気の気流を到達させる対象領域から使用者が所定時間以上離れると、速やかに調和空気を拡散吹出部から室内空間に広く拡散させる吹出し状態に移行させることで、一部の領域へ局所的に吹出されようとしていた調和空気を、室内空間全体を対象とした空気調和に有効に活用でき、室内空間に対し効率よく空気調和が行えることとなる。
【０１１３】
こうした人感センサの他に、操作用端末４０の一部に設けた温度センサ４１を活用し、局所吹出部からの調和空気吹出しの対象となる、居住域の所定領域における温度を温度センサ４１で測定し、得られた温度が室内全体の空気調和における目標温度から大きく外れている場合には、制御部１８が局所吹出部からの局所的吹出しを停止するよう各部を制御する構成とすることもでき、空気調和をしばらく停止していた室内空間に対しあらためて空気調和を開始した直後など、室内空間の温度がまだ一様でない不十分な空気調和状況では、室内空間全体を対象とする空気調和を優先して、できるだけ短時間に室内空間を全体的に快適な温度状態に移行させるようにすることができる。
【０１１４】
（本発明の第２の実施形態）
前記第１の実施形態に係る空気調和システムにおいては、室内空間７０を複数の単位領域７１に分けて、単位領域７１ごとに人の存在の有無を人感センサ５０で検出して、単位領域に人が存在しない場合は風量調整部２０で吹出口装置１０に向かう調和空気の風量を絞って、吹出口装置１０からの調和空気の吹出しを、必要最小限の最小風量状態となるように、風量制御部３０が制御を行う構成としているが、この他、第２の実施形態として、図１１及び図１２に示すように、室内空間の全ての人感センサの検出情報を受取り、室内空間の全ての単位領域における人の存在状況に基づく制御を行う総合制御部３５を備えて、室内空間における全ての人感センサ５０の検出結果に基づいて、人の存在する単位領域７１が室内空間の全ての単位領域に対し所定割合以下となった場合に、人の存在する単位領域７１の吹出口装置１０の吹出し状態を、調和空気が主に局所吹出部１２を通じて吹出す状態となるようにする構成とすることもできる。
【０１１５】
前記総合制御部３５は、吹出口装置１０ごとの制御部１８に制御指示を与えるより上位の制御部分として、室内空間７０の全ての人感センサ５０の検出情報を受け取り、人感センサ５０で人の存在を検出できた単位領域７１が、室内空間７０の全ての単位領域に対し所定の割合（例えば、２５％）以下になると、その単位領域における吹出口装置１０の制御部１８に調和空気の吹出し状態の切替指示を送信するものである。
そして、人の存在する単位領域の吹出口装置１０における制御部１８が、吹出口装置１０の吹出し状態が調和空気を主に局所吹出部１２を通じて吹出す状態となるように制御を行う。
【０１１６】
人感センサ５０による検出の結果、人感センサ５０で人の存在を検出できる単位領域の数が、室内空間の全ての単位領域に対し所定の割合以下になる、すなわち、人の存在しない単位領域が室内空間の大部分を占める状態では、前記第１の実施形態同様、人感センサ５０で人の存在を検出できない単位領域の風量が抑えられて最小風量となることで、室内空間全体への調和空気の供給量は著しく減少する。この場合、人が存在する単位領域７１への通常の拡散吹出部を通じた吹出しによる空気調和のみでは、十分な調和空気を供給していない他の単位領域があることに伴う室内空間全体の空気調和負荷の影響で、人が存在する単位領域への空気調和が十分に行えないおそれがある。
【０１１７】
この時、人が存在する単位領域７１における吹出口装置１０の制御部１８に、吹出口装置１０の吹出し状態を主に局所吹出部１２を通じて調和空気を吹出す状態に切替え（既に主に局所吹出部１２を通じて調和空気を吹出す状態の場合はそのまま）、主に拡散吹出部１３を通じた吹出しによる単位領域の空間全体をターゲットとした空気調和を一旦停止して、人の周りの限られた領域のみ局所的に空気調和が行われるようにすれば、必要最小限の調和空気送給で効率よく人の快適性を確保した空気調和が行える。これにより、あくまで空間全体の空気調和を目指し、負荷に対する空気調和能力を補うために人が存在しない単位領域の空気調和を行い、かえって非効率となるのを防ぐことができる。
【０１１８】
この場合、使用者に適切な空気調和効果がもたらされるように、吹出口装置１０で局所吹出部１２を通じて調和空気を吹出す状態への吹出し状態変化を、使用者に何らかの通知手段で通知して、必要に応じ局所吹出部１２の吹出し方向を使用者に正しく向ける調整を使用者に促すことが望ましい。
【０１１９】
なお、総合制御部３５をはじめ、各吹出口装置１０の制御部１８や風量制御部３０については、三種のうちいずれか二種、もしくは全部を統合して、一つの制御部分としてまとまったものが複数の制御機能を有する構成とすることもできる。また、各吹出口装置１０の制御部１８についても、一吹出口装置ごとに個別配設とせず、複数の吹出口装置ごとにまとめて配設するようにしてもかまわない。
【符号の説明】
【０１２０】
１              空気調和システム
１０            吹出口装置
１１            吹出口本体
１１ａ          ネック部
１１ｂ          外コーン部
１１ｃ          額縁部
１２            局所吹出部
１３            拡散吹出部
１３ａ          案内体
１４            送風用ファン
１５            案内筒部
１５ａ          整流部
１６            遮蔽部
１６ａ          孔
１６ｂ          スライド板
１６ｃ          孔
１６ｆ          アクチュエータ
１７            開口部
１８            制御部
１９            化粧板
２０            風量調整部
３０            風量制御部
３５            総合制御部
４０            操作用端末
４１            温度センサ
５０            人感センサ
７０            室内空間
７１            単位領域
８０            天井
８１            ダクト
８２            支持枠
８３            取付用プレート
８４            照明器具
【図１】
0006292987.tif 000002
【図２】
0006292987.tif 000003
【図３】
0006292987.tif 000004
【図４】
0006292987.tif 000005
【図５】
0006292987.tif 000006
【図６】
0006292987.tif 000007
【図７】
0006292987.tif 000008
【図８】
0006292987.tif 000009
【図９】
0006292987.tif 000010
【図１０】
0006292987.tif 000011
【図１１】
0006292987.tif 000012
【図１２】
0006292987.tif 000013